(57)【要約】【課題】異極性の安定した電圧を、同時に出力する電源装置を提供する。【解決手段】本発明の実施の形態の電源装置は、正電圧又は負電圧を出力する第１の出力端子と、負電圧を出力する第２の出力端子と、第１の出力端子に接続され、第１の出力端子から出力される電圧を制御する可変抵抗素子と、第１の出力端子と第２の出力端子との間に接続される定電圧素子と、を有し、第１の出力端子と第２の出力端子は、同時に電圧を出力することを特徴とすることにより上記課題を解決する。【選択図】図２
2014180083.tif 000002
【特許請求の範囲】
【請求項１】
正電圧又は負電圧を出力する第１の出力端子と、
負電圧を出力する第２の出力端子と、
前記第１の出力端子に接続され、前記第１の出力端子から出力される電圧を制御する可変抵抗素子と、
前記第１の出力端子と前記第２の出力端子との間に接続される定電圧素子と、を有し、
前記第１の出力端子と前記第２の出力端子は、同時に電圧を出力する
ことを特徴とする電源装置。
【請求項２】
前記可変抵抗素子の抵抗を制御する制御手段を備える
ことを特徴とする、請求項１に記載の電源装置。
【請求項３】
前記第１の出力端子から出力される電圧を検出する検出手段を備える
ことを特徴とする、請求項１又は請求項２のいずれか一項に記載の電源装置。
【発明の詳細な説明】
【技術分野】
【０００１】
本発明は、電源装置に関する。
【背景技術】
【０００２】
電子写真方式の画像形成装置（電子複写機装置、レーザプリンタ装置、ファクシミリ装置等）には、高圧電源装置が備えられており、高圧電源には、帯電高圧電源、現像高圧電源、転写高圧電源、定着高圧電源等、が存在する。様々な条件下において、安定した高圧電圧を出力できることは、高圧電源装置にとって必要不可欠な要素となっている。
【０００３】
高圧電源装置の出力は、例えば、画像形成装置内の画像形成部に含まれる現像ローラ及び供給ローラを動作させる際、利用される。高圧電源装置から出力される高圧電圧（現像バイアス或いは供給バイアス）を、現像ローラ及び供給ローラに印加することで、一定量のトナーが、供給ローラから現像ローラに供給される。
【０００４】
従来の、高圧電源装置30について、図１を用いて説明する。高圧電源装置30は、現像バイアス（電圧V1）、供給バイアス（電圧V2）、規制バイアス（電圧V3）を出力する。
【０００５】
高圧電源装置30は、図１に示す様に、PWM(+)信号、或いはPWM(−)信号に基づき、電圧V1、V2、V3を生成し、端子3a、3b、3cから、出力する。
【０００６】
高圧電源装置30は、制御回路31、32、トランス33、34、整流平滑回路35、36、ツェナーダイオード37、38を含む。端子3aと端子3bとの間には、ツェナーダイオード37、38が挿入されている。
【０００７】
例えば、PWM(＋)信号を制御回路31に入力する場合、端子3aと端子3cとの間の電圧を安定させるため、同時に、PWM(−)信号の入力は行わない。この場合、端子3a、3b、3cからは、常に正電圧（同極性）が出力される。つまり、電圧V1、V2、V3は、制御回路31及びトランス33によって生成される。
【０００８】
端子3aの電圧V1は、制御回路31に入力されるPWM(＋)信号と、電圧V1のフィードバック値により、定まる。電圧V1の設定は、PWM(＋)信号のPWM DUTYに基づいて行われる。端子3bの電圧V2は、電圧V1からツェナーダイオード37の電圧降下分を差し引いた電圧となる。端子3cの電圧V3は、電圧V2からツェナーダイオード38の電圧降下分を差し引いた電圧となる。
【０００９】
同様に、例えば、PWM(−)信号を制御回路31に入力する場合、端子3aと端子3cとの間の電圧を安定させるため、同時に、PWM(＋)信号の入力は行わない。この場合、端子3a、3b、3cからは、常に負電圧（同極性）が出力される。つまり、電圧V1、V2、V3は、制御回路32及びトランス34によって生成される。
【００１０】
端子3cの電圧V3は、制御回路32に入力されるPWM(−)信号と、電圧V3のフィードバック値により、定まる。電圧V3の設定は、PWM(−)信号のPWM DUTYに基づいて行われる。端子3bの電圧V2は、電圧V3からツェナーダイオード38の電圧降下分を差し引いた電圧となる。端子3aの電圧V1は、電圧V2からツェナーダイオード37の電圧降下分を差し引いた電圧となる。
【００１１】
即ち、従来の高圧電源装置30において、端子3a、3b、3cからは、同極性の電圧が出力される。
【００１２】
特許文献１では、正電圧を出力する出力端子を持つ電源回路と、負電圧を出力する出力端子を持つ電源回路において、各々の出力端子をツェナーダイオードで接続し、ツェナーダイオードの両端に生成される電圧を現像ローラ及び供給ローラに印加している。
【発明の概要】
【発明が解決しようとする課題】
【００１３】
ところで、現像ローラは、感光体ドラムからのトナー回収と、感光体ドラムへのトナー供給の両方を行う。従って、高圧電源装置は、現像ローラに対して、正電圧と負電圧とを印加する必要があり、更に、正電圧と負電圧とを素早く切り替えて、印加できることが望まれる。
【００１４】
また、高圧電源装置は、現像ローラ及び供給ローラに対して、同時に異極性の電圧を印加できることが好ましい。
【００１５】
しかしながら、図１に示す従来の高圧電源装置30においては、PWM(＋)信号、或いはPWM(−)信号のいずれか一方の信号により、現像バイアス及び供給バイアスを定めているため、現像ローラ及び供給ローラには、常に同極性の電圧が、印加されてしまうという問題がある。
【００１６】
また、PWM(＋)信号により正電圧を、PWM(−)信号により負電圧を制御しているため、現像ローラの電圧を、「正電圧から負電圧へ」或いは、「負電圧から正電圧へ」切り替える際、一定時間経過した後でなければ、極性を切り替えることができない。
【００１７】
また、２つのトランスの固体差により、両者の電圧生成時間に差が発生し、端子3a及び端子3cから同時に電圧を出力することができないという問題もある。
【００１８】
更に、一定量のトナーを、供給ローラから現像ローラに供給するためには、現像バイアスと供給バイアスとの電圧差は一定に保たれる必要がある。即ち、現像ローラ及び供給ローラには、安定した電圧が印加されることが好ましい。
【００１９】
しかしながら、高圧電源装置30においては、該電圧差が、ツェナーダイオード37のツェナー電圧と、ツェナーダイオード38のツェナー電圧との合計以上（或いは以下）の電圧となるように、PWM(＋)信号（或いはPWM(−)信号）を、制御しなければ、安定した電圧を現像ローラ及び供給ローラに印加できない。
【００２０】
特許文献１における電源装置では、第１出力ポート及び第２出力ポートを同時にオンすることができないため、現像ローラ及び供給ローラに対して、同時に異極性の電圧を印加することができない。また、現像ローラ及び供給ローラに印加される電圧がツェナー電圧より小さい場合に、ツェナー電流が十分確保できず電圧差が不安定になるという問題もある。
【００２１】
本発明は、上記の課題に鑑みてなされたものであり、異極性の安定した電圧を、同時に出力する電源装置を提供することを目的とする。
【課題を解決するための手段】
【００２２】
上記目的を達成するために、本発明の実施の形態の電源装置は、正電圧又は負電圧を出力する第１の出力端子と、負電圧を出力する第２の出力端子と、第１の出力端子に接続され、第１の出力端子から出力される電圧を制御する可変抵抗素子と、第１の出力端子と第２の出力端子との間に接続される定電圧素子と、を有し、第１の出力端子と第２の出力端子は、同時に電圧を出力することを特徴とする。
【発明の効果】
【００２３】
本発明の実施の形態によれば、異極性の安定した電圧を、同時に出力する電源装置を提供することができる。
【図面の簡単な説明】
【００２４】
【図１】従来の高圧電源装置の構成の一例を示す図である。
【図２】実施形態１に係る高圧電源装置の構成の一例を示す図である。
【図３】実施形態１に係る高圧電源装置の構成の一例を示す図である。
【図４】実施形態１に係る高圧電源装置の回路構成の一例を示す図である。
【図５】実施形態２に係る画像形成装置の構成の一例を示す図である。
【図６】実施形態２に係る現像器に印加するバイアスの一例を示す図である。
【発明を実施するための形態】
【００２５】
（実施形態１）
（高圧電源装置の構成）
図２は、本実施形態に係る高圧電源装置100の構成の一例である。
【００２６】
本実施形態に係る高圧電源装置100は、制御回路11にON信号（入力信号）が、制御回路12にPWM信号（入力信号）が入力され、端子1からは、電圧V1（出力信号）が、端子2からは電圧V2（出力信号）が、端子3からは電圧V3（出力信号）が、それぞれ出力される。
【００２７】
高圧電源装置100は、制御回路11（制御手段）、制御回路12（制御手段）、トランス13、整流平滑回路14、整流平滑回路15、可変抵抗素子16、電流制限抵抗17、定電圧素子18、定電圧素子19、端子1（第１の出力端子）、端子2、端子3（第２の出力端子）を含む。
【００２８】
整流平滑回路14は、端子Aを含む。整流平滑回路15は、端子Bを含む。
【００２９】
端子1からは、現像バイアスとなる電圧V1が出力される。現像バイアスは、現像ローラに供給される。端子2からは、規制バイアスとなる電圧V2が出力される。端子3からは、供給バイアスとなる電圧V3が出力される。供給バイアスは、供給ローラに供給される。
【００３０】
ON信号は、ON(1)とOFF(0)の2つの出力値のみを出力する信号である。ON信号は、トランス13から出力される高圧交流電圧を制御する信号である。従って、制御回路11に、ON信号が入力されることで、トランス13から出力される高圧交流電圧を一定電圧とすることができる。
【００３１】
PWM信号は、ON(1)とOFF(0)の2つの出力値だけでなく、ON(1)とOFF(0)との間の出力値も出力する信号である。従って、制御回路12に、PWM信号が入力されることで、可変抵抗素子16の抵抗をより細かく変化させることができる。即ち可変抵抗素子16の抵抗を、該素子が有する最小の抵抗から最大の抵抗まで変化させることができる。
【００３２】
制御回路11は、トランス13から出力される高圧交流電圧を制御する。即ち、制御回路11は、トランス及び整流平滑回路を介して、端子A及び端子Bの両端子と電気的に接続され、端子A及び端子Bに供給される電圧を、制御する。
【００３３】
端子Aに供給される電圧は、正電圧（一定電圧）であり、端子Bに供給される電圧は、負電圧（一定電圧）である。
【００３４】
制御回路11は、ON信号及び端子Aの電圧のフィードバック信号に基づき、端子A及び端子Bに異極性の電圧を供給するための制御信号を生成し、トランス13に入力する。
【００３５】
なお、高圧電源装置100では、端子A及び端子Bに、異極性で、且つ等しい電圧が供給されているが、特に限定されない。端子A及び端子Bに供給される電圧は、異極性であれば、大きさが異なっていても良い。
【００３６】
トランス13は、制御回路11から出力される制御信号に基づき、高圧交流電圧を生成し、該高圧交流電圧を、整流平滑回路14及び整流平滑回路15に入力する。ON信号に基き、１つのトランス13で、２つの電圧を生成し、同時に２端子（端子A及び端子B）に電圧を、供給する。
【００３７】
整流平滑回路14及び整流平滑回路15は、トランス13から出力される高圧交流電圧を整流平滑し、整流平滑された正電圧を端子Aに、整流平滑された負電圧を端子Bに供給する。
【００３８】
なお、高圧電源装置100では、１つのトランス13を用いているが、トランスの個数は特に限定されない。高圧電源装置100は、２つのトランスを備えていても良い。例えば、１つ目のトランスで高圧交流電圧を生成して、整流平滑回路14に入力し、端子Aに正電圧を供給しても良い。２つ目のトランスで高圧交流電圧を生成して、整流平滑回路15に入力し、端子Bに負電圧を供給しても良い。この場合、トランスの固体差は小さいことが好ましい。いずれの場合であっても、１つのON信号に基き、同時に２端子（端子A及び端子B）の電圧を、制御することができればよい。
【００３９】
制御回路12は、可変抵抗素子16の抵抗を制御する。制御回路12は、可変抵抗素子16の抵抗を、変化させることによって、端子1から出力される電圧V1を、制御する。
【００４０】
制御回路12は、PWM信号及び端子1から出力される電圧V1のフィードバック信号に基づき、可変抵抗素子17の抵抗を変化させるための制御信号を生成し、可変抵抗素子16に入力する。
【００４１】
可変抵抗素子16は、制御回路12から出力される制御信号に基づき、抵抗を変化させ、端子1から出力される電圧V1を変化させる。即ち、端子Aの電圧を降下させ、電圧V1を生成する。電圧V1は、端子Aに供給される電圧（正電圧）から端子Bに供給される電圧（負電圧）までの範囲内で、変化させることが可能である。
【００４２】
定電圧素子18は、端子1から出力される電圧V1を降下させ、端子2から出力される電圧V2を生成する。定電圧素子19は、端子2から出力される電圧V2を降下させ、端子3から出力される電圧V3を生成する。
【００４３】
定電圧素子18及び定電圧素子19としては、例えば、ツェナーダイオードを用いることが好ましい。
【００４４】
端子Aの電圧と端子Bの電圧との間に生じる電圧差は、定電圧素子18（ツェナーダイオード）のツェナー電圧と定電圧素子19（ツェナーダイオード）のツェナー電圧との和より大きいことが好ましい。
【００４５】
電流制限抵抗17は、電圧V1をツェナー電圧分降下させた電圧V3と端子Bの電圧との電圧差を降下させる。
【００４６】
端子Bには、制御回路11より制御された負電圧が発生している。端子3には、定電圧素子18（ツェナーダイオード）のツェナー電圧と定電圧素子19（ツェナーダイオード）のツェナー電圧との和の分だけ、電圧V1から降下させた電圧が発生している。電流制限抵抗17は、端子Bと端子3との間に設けられ、これらの電圧差を降下させる。
【００４７】
これより、定電圧素子18及び定電圧素子19に流れる電流、即ち端子1と端子3との間を流れる電流を安定させることができる。
【００４８】
なお、高圧電源装置100は、図３に示す様に、端子1から出力される電圧V1を検出するための検出回路20を備えていても良い。
【００４９】
本実施形態に係る高圧電源装置100によれば、端子Aと端子Bに同時に異極性の電圧を供給できるため、端子1（第１の出力端子）及び端子3（第２の出力端子）から異極性の電圧を、同時に出力することが可能になる。また、端子Aの電圧と端子Bの電圧との間であれば、任意に端子1から出力される電圧V1を設定することができる。
【００５０】
また、本実施形態に係る高圧電源装置100によれば、端子Aの電圧と端子Bの電圧との間に生じる電圧差が、定電圧素子18（ツェナーダイオード）のツェナー電圧と定電圧素子19（ツェナーダイオード）のツェナー電圧との和より大きくなるように、制御回路11にて制御している。ツェナーダイオードに、確実にツェナー電流を供給して、ツェナー電圧を安定させることで、端子1（第１の出力端子）及び端子3（第２の出力端子）から安定した電圧を出力することができる。
【００５１】
これより、異極性、或いは同極性の安定した電圧を、同時に出力する高圧電源装置100を実現できる。
【００５２】
（高圧電源装置の回路構成）
図４は、本実施形態に係る高圧電源装置100の具体的な回路構成の一例である。図２と同じ部分には同じ符号を付している。
【００５３】
高圧電源装置100は、制御回路11、制御回路12、トランス13、整流平滑回路14、整流平滑回路15、可変抵抗素子16、電流制限抵抗17、ツェナーダイオード18、ツェナーダイオード19、端子1（第１の出力端子）、端子2、端子3（第２の出力端子）を含む。
【００５４】
制御回路11は、オペアンプIC1、トランジスタTR1を含む。
【００５５】
オペアンプIC1には、ON信号及び端子Aの電圧を抵抗R2で降下させた電圧のフィードバック信号が入力される。オペアンプIC1は、ON信号とフィードバック信号とが一致するように出力信号を制御し、該出力信号を、トランジスタTR1のベース及び1次巻線L3の一端に入力する。
【００５６】
トランジスタTR1のコレクタは、1次巻線L1の一端と電気的に接続され、トランジスタTR1のエミッタ及び1次巻線L3の他端は、GNDと電気的に接続されている。1次巻線L1の他端は、電源（例えば、24V）と電気的に接続されている。
【００５７】
トランジスタTR1は、ベースに入力される出力信号に基づき、トランジスタTR1に流れる電流を制御する。
【００５８】
オペアンプIC1、トランジスタTR1を含む制御回路11より出力された制御信号に基づき、端子Aの電圧及び端子Bの電圧は制御される。２端子（端子A及び端子B）に供給される電圧は、ON信号に基き制御される。
【００５９】
トランス13は、1次巻線L1、2次巻線L2、1次巻線L3を含む。トランス13は、制御回路11から出力される制御信号を、変圧し、高圧交流電圧を生成し、コンデンサ及びダイオードを含む整流平滑回路に、該高圧交流電圧を入力する。トランス13は、制御信号に基づき、２端子（端子A及び端子B）に供給する電圧を生成する。
【００６０】
整流平滑回路14は、端子A、コンデンサC1、ダイオードD1を含む。整流平滑回路15は、端子B、コンデンサC2、ダイオードD2を含む。整流平滑回路14及び整流平滑回路15は、トランス13の2次巻線L2に発生する高圧交流電圧を整流平滑する。整流平滑された正極性の高圧電圧（一定電圧）が、端子Aに印加され、整流平滑された負極性の高圧電圧（一定電圧）が、端子Bに印加される。
【００６１】
なお、整流平滑回路の構成は、特に限定されない。
【００６２】
制御回路12は、オペアンプIC2、コンデンサC3、抵抗R4を含む。
【００６３】
オペアンプIC2には、PWM信号及び端子1から出力される電圧V1を抵抗R3で降下させた電圧のフィードバック信号が入力される。PWM信号は、コンデンサC3及び抵抗R4によって、整流平滑される。オペアンプIC2は、PWM信号とフィードバック信号とが一致するように制御し、制御信号を、可変抵抗素子16に入力する。制御回路12は、可変抵抗素子16の抵抗を制御する。
【００６４】
可変抵抗素子16は、制御回路12から出力される制御信号に基づき、抵抗を変化させる。可変抵抗素子16は、端子Aの電圧を、該抵抗で降下させ、端子1から出力れる電圧V1を生成する。従って、可変抵抗素子16は、端子1から出力される電圧V1を制御することができる。
【００６５】
端子1から出力される電圧V1は、可変抵抗素子16により、端子Aに供給される電圧と端子Bに供給される電圧の間の範囲内で、変化させることが可能である。従って、高圧電源装置100は、端子１から正電圧を、端子3から負電圧を、同時に出力することができ、また端子１から負電圧を、端子3から負電圧を、同時に出力することもできる。
【００６６】
ツェナーダイオード18は、端子1から出力される電圧V1を、降下させ、端子2から電圧V2として出力する。
【００６７】
ツェナーダイオード19は、端子2からから出力される電圧V2を、降下させ、端子3から電圧V3として出力する。
【００６８】
電流制限抵抗17は、端子3から出力される電圧V3と端子Bの電圧との差分を降下させる。
【００６９】
定電圧素子としては、ツェナーダイオードを用いることが好ましい。
【００７０】
端子Aの電圧と端子Bの電圧との電圧差は、ツェナーダイオード18のツェナー電圧と、ツェナーダイオード19のツェナー電圧との和より大きい。
【００７１】
ツェナーダイオードは、極めて安定性の高い電圧を供給できる素子であるため、ツェナーダイオードを、高圧電源装置100に適用し、端子Aと端子Bとの間の電圧差を、ツェナーダイオード18のツェナー電圧と、ツェナーダイオード19のツェナー電圧との和より大きく保つことで、端子1及び端子3から安定した電圧を出力することができる。
【００７２】
（実施形態２）
（画像形成装置の作像部の構成）
カラータンデム方式の画像形成装置について説明する。図５を用いて、画像形成装置の作像部200について詳細に説明する。画像形成装置の作像部200に、実施形態１に係る高圧電源装置100を適用することができる。
【００７３】
図５では、BK、M、C、Yの画像を形成するカラータンデム方式の画像形成装置について説明するが、高圧電源装置100の適用は、該方式の画像形成装置に限定されない。BKのみの画像を形成するモノクロ方式の画像形成装置についても実施形態１に係る高圧電源装置100を適用することができる。
【００７４】
なお、図５において、BKは、ブラック、Mは、マゼンタ、Cは、シアン、Yは、イエローを意味するものとする。従って、同じ構成を有する部分には、同一の数値を付し、数値の後に、BK、M、C、Yを付すことで、各色の構成の区別をする。
【００７５】
画像形成装置の作像部200は、給紙トレイ1、給紙ローラ2、分離ローラ3、用紙4、一次転写ベルト5、画像形成部6、駆動ローラ7、一次転写ローラ13、定着器14、従動ローラ15、二次転写ローラ16、等を含む。
【００７６】
図５に示す様に、一次転写ベルト5に沿って、各色の画像形成部が配列されている。上流側から下流側へ向かって順に、画像形成部6BK、画像形成部6M、画像形成部6C、画像形成部6Yが配列されている。
【００７７】
給紙トレイ1には、用紙4が備えられている。
【００７８】
給紙ローラ2及び分離ローラ3は、給紙トレイ1から排出される用紙4を分離給紙する。
【００７９】
一次転写ベルト5には、フルカラーのトナー画像が形成される。
【００８０】
駆動ローラ7及び従動ローラ15は、反時計周りに回転駆動し、一次転写ベルト5を巻回する。駆動ローラ7は、駆動モータ（図示せず）によって回転駆動し、駆動ローラ7の回転に伴って、従動ローラ15も回転駆動する。駆動ローラ7及び従動ローラ15の回転駆動により、一次転写ベルト5を移動させる。
【００８１】
一次転写ローラ13は、一次転写ベルト5と感光体ドラム8とが接する部分において、一次転写ローラ13に印加されるバイアスを用いて、感光体ドラム8上に形成される各色（BK、M、C、Y）のトナー画像を、一次転写ベルト5に転写する。
【００８２】
二次転写ローラ16は、一次転写ベルト5と用紙4とが接する部分において、二次転写ローラ16に印加されるバイアスを用いて、一次転写ベルト5上に形成されるフルカラーのトナー画像を、用紙4に転写する。
【００８３】
定着器14は、用紙4に転写されたフルカラーのトナー画像を定着する。
【００８４】
画像形成部6は、感光体ドラム8、帯電器9、LEDヘッド10、現像器11、除電器12を含む。現像器11は、現像ローラ17、規制ブレード18、供給ローラ19を含む。
【００８５】
各々の画像形成部6BK、6M、6C、6Yは、形成するトナー画像の色が異なるだけで内部構成は共通である。画像形成部6BKはブラックの画像を、画像形成部6Mはマゼンタの画像を、画像形成部6Cはシアンの画像を、６Yはイエローの画像をそれぞれ形成する。
【００８６】
感光体ドラム8の外周面には、帯電器9、LEDヘッド10、現像器11、感光体クリーナ（図示せず）、除電器12等が備えられている。
【００８７】
現像器11は、感光体ドラム8上にトナー画像を形成し、静電潜像を可視像化する。実施形態１に係る高圧電源装置100により、現像ローラ17には、現像バイアスが、規制ブレード18には、規制バイアスが、供給ローラ19には、供給バイアスが供給される。
【００８８】
供給ローラ19は、現像ローラ17に対して、トナーを供給する。
【００８９】
規制ブレード18は、現像ローラ17に供給されたトナーを薄膜化する。
【００９０】
現像ローラ17は、薄膜化されたトナーを、感光体ドラム8上に供給し、感光体ドラム8上の静電潜像にトナー画像を形成する。この際、現像ローラに負電圧を、供給ローラに負電圧を印加することが好ましい（図６参照）。また、現像ローラ17は、感光体ドラム8上のトナーを回収し、感光体ドラム8のクリーニングを行う。この際、現像ローラに正電圧を、供給ローラに負電圧を印加することが好ましい（図６参照）。
【００９１】
帯電器9は、感光体ドラム8の外周面を帯電させる。
【００９２】
LEDヘッド10は、画像形成部6が形成する画像色に対応する光を照射する。高精度な画像を得るためには、LEDヘッド10と感光体ドラム8との距離が一定であることが好ましい。
【００９３】
除電器12は、帯電させた感光体ドラム8の外周面を除電させる。
【００９４】
感光体クリーナは、感光体ドラム8の外周面に残留した不要なトナーを、払拭する（掻き落とす）。
【００９５】
（画像形成装置の作像部の動作）
次に、画像形成の際における、画像形成装置の作像部200の動作について説明する。
【００９６】
まず、画像形成部6BKの動作について具体的に説明する。他の画像形成部6M、6C、6Yの動作は一部省略しているが、トナー画像の色が異なるだけで、画像形成部6BKと同様の動作をする。
【００９７】
感光体ドラム8BKの外周面は、暗中にて、帯電器9BKによって、一様に帯電する。その後、LEDヘッド10BKから照射されるブラックの画像に対応した光によって、露光され、静電潜像が形成される（感光体ドラム8BK上に静電荷が画像状に分布している）。静電潜像は、人の目で見ることはできない。
【００９８】
次に、供給ローラ19BKが、現像ローラ17BKに対して、ブラックトナーを供給する。
【００９９】
規制ブレード18BKによって、現像ローラ17BK上に供給されたブラックトナーを薄層化する。
【０１００】
現像ローラ17BKは、感光体ドラム8BK上に、薄層化されたブラックトナー（例えば、負極性に帯電したブラックトナー）を供給する。感光体8BK上の静電潜像に、ブラックトナーを移動させることにより、感光体8BK上にブラックのトナー画像が形成される。静電潜像は、現像ローラ17BKから供給されたブラックトナーによって、可視像化される。
【０１０１】
この際、現像ローラ17BK及び供給ローラ19BKに、同時に、例えば、同極性のバイアスが供給されることが好ましい。画像形成部6BKに、実施形態１に係る高圧電源装置100を適用することで、現像ローラ17BKに負極性の現像バイアス（例えば、-350V〜-10V）を、供給ローラ19BKに負極性の現像バイアス（例えば、-600〜-260V）を、同時に、供給することができる。なお、規制ブレード18BKにも負極性の現像バイアス（例えば、-550〜-210V）を、同時に、供給することができる（図６参照）。
【０１０２】
次に一次転写ローラ13が、一次転写ベルト5と感光体ドラム8BKとが接する部分において、一次転写ローラ13に印加されるバイアスを用いて、感光体ドラム8BK上に形成されるブラックのトナー画像を、一次転写ベルト5に転写する。
【０１０３】
トナー画像の転写が終了した感光体ドラム8BK外周面に残留した不要なブラックトナー（例えば、負極性に帯電したブラックトナー）を、現像ローラ17BKは、回収する。また、廃トナーを、感光体クリーナ等により払拭し、感光体ドラム8BKのクリーニングを行う。なお、廃トナーは廃トナー容器等に収納される。
【０１０４】
この際、現像ローラ17BK及び供給ローラ19BKに、同時に、例えば、異極性のバイアスが供給されることが好ましい。画像形成部6BKに、実施形態１に係る高圧電源装置100を適用することで、現像ローラ17BKに正極性の現像バイアス（例えば、150V〜250V）を、供給ローラ19BKに負極性の現像バイアス（例えば、-100〜0V）を、同時に、供給することができる。なお、規制ブレード18BKにも正極性、或いは負極性の現像バイアス（例えば、-50〜50V）を、同時に、供給することができる（図６参照）。
【０１０５】
その後、感光体ドラム8BKの外周面は、除電器12BKにより除電される。
【０１０６】
画像形成部6BKは、次の画像形成のために待機する。
【０１０７】
ここで、図６を用いて、印刷立ち上げ時、印刷時、印刷立ち下げ時に、現像器11に印加するバイアスについての一例について説明する。
【０１０８】
図６に示す様に、期間T1を、印刷立ち上げ期間、期間T2を、印刷期間、期間T3を、印刷立ち下げ期間、とする。
【０１０９】
各期間において、現像器11に印加するバイアスは、異なる。
【０１１０】
例えば、期間T1において電圧V1は、150V〜250V、電圧V3は、-100〜0Vとなる。期間T3において電圧V1は、150V〜250V、電圧V3は、-100〜0Vとなる。期間T1及び期間T3において現像ローラ17及び供給ローラ19には、異極性のバイアスが印加されている。
【０１１１】
例えば、期間T2において電圧V1は、-350V〜-10V、電圧V3は、-600〜-260Vとなる。期間T2において現像ローラ17及び供給ローラ19には、同極性のバイアスが印加されている。
【０１１２】
また、電圧V1のみに着目すると、期間T1では、150V〜250V、期間T2では、-350V〜-10V、期間T3では、150V〜250V、という様に、正極から負極へ、負極から正極へと、正電圧と負電圧とが切り替えられている。
【０１１３】
図６は、一例であるが、実施形態１に係る高圧電源装置100を適用することで、現像器11に上述のようなバイアスを印加することができる。
【０１１４】
その後、一次転写ベルト5は、更に、上流側のトナー画像を一次転写ベルト5上に形成するために、次の画像形成部6Mに移動する。画像形成部6Mでは、画像形成部6BKでの画像形成の際における動作と、同様の動作によって、感光体ドラム8M上にマゼンタのトナー画像を形成する。マゼンタのトナー画像は、一次転写ベルト5上に形成されたブラックのトナー画像に重畳して、転写される。
【０１１５】
一次転写ベルト5は、更に、上流側のトナー画像を一次転写ベルト5上に形成するために、次の画像形成部6C、6Yに移動し、同様の動作によって、感光体ドラム8C上に、シアンのトナー画像を、感光体ドラム8Y上に、イエローのトナー画像を形成する。シアンのトナー画像と、イエローのトナー画像は、一次転写ベルト5上に形成されたブラックのトナー画像及びマゼンタのトナー画像に重畳して、転写される。
【０１１６】
こうして、一次転写ベルト5上にフルカラーのトナー画像が形成される。
【０１１７】
給紙トレイ1から排出される用紙4は、給紙ローラ2と分離ローラ3とにより分離給紙される。
【０１１８】
二次転写ローラ16は、一次転写ベルト5と用紙4とが接する部分において、二次転写ローラ16に印加されるバイアスを用いて、一次転写ベルト5上に形成されるフルカラーのトナー画像を、用紙4に転写する。
【０１１９】
定着器14は、用紙4に転写されたフルカラーのトナー画像を定着する。
【０１２０】
その後、用紙4は、画像形成装置の外部に排紙される。
【０１２１】
なお、帯電器、現像器、一次転写ローラ、二次転写ローラへは、高圧電源よりバイアスが、それぞれ供給される。
【０１２２】
なお、図６では、中間転写方式を採用した画像形成装置に、実施形態１に係る高圧電源装置100を適用する例について説明したが、この方式に特に限定されない。例えば、直接転写方式を採用した画像形成装置に、実施形態１に係る高圧電源装置100を適用することもできる。
【０１２３】
本実施の形態に係る高圧電源装置100を画像形成装置に適用することで、異極性のバイアス（電圧）を、現像ローラ17及び供給ローラ19に、同時に印加することができる。このため、画像形成装置の印刷シーケンスは、現像ローラ17及び供給ローラ19に、正極性のバイアスのみ、或いは負極性のバイアスのみを印加するシーケンスに制限されない。また、画像形成装置には、高圧電源装置100によって、常に安定したバイアスが供給される。
【０１２４】
以上、本発明の好ましい実施形態について詳述したが、本発明は係る特定の実施形態に限定されるものではなく、特許請求の範囲に記載された本発明の実施形態の要旨の範囲内において、種々の変形、変更が可能である。
【符号の説明】
【０１２５】
1  第１の出力端子（端子）
3  第２の出力端子（端子）
11、12  制御手段（制御回路）
16  可変抵抗素子
18、19  定電圧素子
20  検出手段（検出回路）
100  高圧電源装置（電源装置）
【先行技術文献】
【特許文献】
【０１２６】
【特許文献１】特開２００７−５２６９０号公報
【図１】
2014180083.tif 000003
【図２】
2014180083.tif 000004
【図３】
2014180083.tif 000005
【図４】
2014180083.tif 000006
【図５】
2014180083.tif 000007
【図６】
2014180083.tif 000008